(57)【要約】【課題】複数枚の書類について複数のグループに分け、各グループ毎に書類を綴じてサブファイルとしたうえで、各サブファイル同士を綴じて一冊のメインファイルに纏める場合において、メインファイルとして、いわゆる「２穴ファイル」や「バインダーファイル」等、汎用性のあるファイル文具を使用することができるようにする。【解決手段】一対の可撓性を有する綴じ扞２，３を有する綴じ具４と、一対の綴じ扞２，３を挿通されて配置される基板部５と、この基板部５に一体的に連設され書類１０１の一側方向に食み出し複数の孔９を有する切片部８と、書類１０１と略々同一の大きさに形成され書類１０１の裏面側に配置され基板部５及び綴じ具４を保持する台紙部材１０とを備える。切片部８に設けられた複数の孔９は、「２穴ファイル」や「バインダーファイル」によって綴じられるように孔径及び孔間隔が設定されている。【選択図】図３
2007313805.tif 000002
【特許請求の範囲】
【請求項１】
基材部上に一対の可撓性を有する綴じ扞が突設され、書類の一側部分に形成された一対の孔にこの書類の裏面側から前記一対の綴じ扞を挿通させる綴じ具と、
前記書類と略々同一の大きさに形成され、一側部分に前記綴じ具の基材部が取付けられ、前記書類の裏面側に配置される台紙部材と、
前記台紙部材の一側側に連設され、複数の孔が形成された切片部と、
前記台紙部材と略々同一の大きさに形成され、前記台紙部材の一側縁に一体的に連設され、この台紙部材側に折り返されることにより前記書類の表面側に配置される表紙部材と
を備え、
前記切片部は、前記表紙部材が前記台紙部材側に折り返されたときに、これら表紙部材及び台紙部材の一側方向に突出された状態となる
ことを特徴とするファイル文具。
【請求項２】
前記切片部は、前記台紙部材側に折り返されることが可能となっている
ことを特徴とする請求項１記載のファイル文具。
【請求項３】
基材部上に一対の可撓性を有する綴じ扞が突設され、書類の一側部分に形成された一対の孔にこの書類の裏面側から前記一対の綴じ扞を挿通させる綴じ具と、
前記書類に形成された一対の孔と同一の大きさ及び間隔の一対の孔を有し、この一対の孔に前記一対の綴じ扞を挿通されて、前記基材部と前記書類との間に配置される基板部と、
前記一対の綴じ扞が前記一対の孔に挿通された書類の一側方向にこの書類の縁よりも食み出して前記基板部に一体的に連設され、複数の孔が形成された切片部と、
前記書類と略々同一の大きさに形成され、前記書類の裏面側に配置される台紙部材と
を備え、
前記台紙部材は、一側部に突片部を有し、この突片部を、前記基板部と前記切片部との間に形成されたスリットに裏面側から挿通させるとともに、この突片部が折り返されて前記基板部上に覆い被さることによって、この基板部及び前記綴じ具の基材部を保持する
ことを特徴とするファイル文具。
【請求項４】
基材部上に一対の可撓性を有する綴じ扞が突設され、書類の一側部分に形成された一対の孔にこの書類の裏面側から前記一対の綴じ扞を挿通させる綴じ具と、
前記書類に形成された一対の孔と同一の大きさ及び間隔の一対の孔を有し、この一対の孔に前記一対の綴じ扞を挿通されて、前記基材部と前記書類との間に配置される基板部と、
前記一対の綴じ扞が前記一対の孔に挿通された書類の一側方向にこの書類の縁よりも食み出して前記基板部に一体的に連設され、複数の孔が形成された切片部と、
前記書類と略々同一の大きさに形成され、前記書類の裏面側に配置される台紙部材と、
前記台紙部材の一側部に一体的に連設され、前記書類と略々同一の大きさに形成され、前記台紙部材側に折り返されることにより前記書類の表面側に配置される表紙部材と、
を備え、
前記表紙部材の前記台紙部材に連結された側の一部分は、この表紙部材にコ字状の第１の切り込み部が形成されていることによって、前記台紙部材の一側部に連設された突片部となされており、
前記表紙部材及び前記台紙部材の連結部には、前記第１の切り込み部の両端部に連続する第２の切り込み部が形成されていることによって、前記突片部を前記台紙部材側に折り返した状態において、前記切片部が挿通され得るようになっており、
前記切片部は、この切片部と前記基板部との間に形成されたスリットに裏面側から前記突片部を挿通され、この突片部が折り返されて前記基板部上に覆い被さることによって、前記綴じ具の基材部とともに保持されるとともに、前記第２の切り込み部に挿通されて、前記台紙部材の裏面側に突出されている
ことを特徴とするファイル文具。
【請求項５】
前記切片部は、前記基板部側に折り返されることが可能となっている
ことを特徴とする請求項３、または、請求項４記載のファイル文具。
【請求項６】
前記切片部には、前記書類と略々同一の大きさに形成され前記基板部側に折り返されることにより前記書類の表面側に配置される表紙部材が一体的に連設されており、
前記表紙部材には、前記切片部に形成された複数の孔に対応する複数の長孔が形成されている
ことを特徴とする請求項３記載のファイル文具。
【請求項７】
基材部上に一対の可撓性を有する綴じ扞が突設され、書類の一側部分に形成された一対の孔にこの書類の裏面側から前記一対の綴じ扞を挿通させる綴じ具と、
前記書類と略々同一の大きさに形成され、一側部分に前記綴じ具の基材部が取付けられ、前記書類の裏面側に配置されるとともに、前記一対の綴じ扞が前記一対の孔に挿通された書類の一側方向にこの書類の縁よりも食み出す部分を有し、この部分に複数の孔が形成された台紙部材と、
前記台紙部材と略々同一の大きさに形成され、前記台紙部材の一側縁に一体的に連設され、この台紙部材側に折り返されることにより前記書類の表面側に配置される表紙部材と
を備え、
前記表紙部材は、前記台紙部材に形成された複数の孔に対応する複数の長孔が形成されている
ことを特徴とするファイル文具。
【請求項８】
書類の一側部分を挟持して保持する綴じ具と、
前記書類と略々同一の大きさに形成され、一側部分に前記綴じ具が取付けられ、前記書類の裏面側に配置されるとともに、前記綴じ具に保持された書類の一側方向にこの書類の縁よりも食み出す部分を有し、この部分に複数の孔が形成された台紙部材と、
前記台紙部材と略々同一の大きさに形成され、前記台紙部材の一側縁に一体的に連設され、この台紙部材側に折り返されることにより前記書類の表面側に配置される表紙部材と
を備え、
前記表紙部材は、前記台紙部材に形成された複数の孔及び前記綴じ具に対応する領域の開口部が形成されている
ことを特徴とするファイル文具。
【請求項９】
前記切片部、または、前記台紙部材に形成された複数の孔は、前記書類に形成された一対の孔と同一の大きさ及び間隔の一対の孔である
ことを特徴とする請求項１乃至請求項８のいずれか一に記載のファイル文具。
【請求項１０】
前記各一対の孔は、中心間距離が８０ｍｍであり、孔径が６ｍｍである
ことを特徴とする請求項１乃至請求項９のいずれか一に記載のファイル文具。
【発明の詳細な説明】
【技術分野】
【０００１】
本発明は、複数枚の書類の一側部分を綴じて纏めるためのファイル文具に関する。
【背景技術】
【０００２】
従来、複数枚の書類の一側部分を綴じて纏めるためのファイル文具として、種々の構成のものが提案されている。例えば、書類に孔を開け、この孔にリング留め具を挿入することによって書類を綴じるファイル文具や、書類には何ら加工を施さず、バネ力によって付勢された挟持留め具により書類を挟持して書類を綴じるようにしたファイル文具が提案されている。
【０００３】
これらのようなファイル文具においては、一旦綴じた後の複数枚の書類の中から、特定の一乃至複数枚の必要な一部書類のみを抜き取ることが困難であった。すなわち、このようなファイル文具において、綴じられた複数枚の書類の中の所望の書類のみを抜き取る場合においては、全ての書類について、一旦綴じられた状態から開放させ、所望の書類のみを抜き取った後に、残余の書類について再び綴じるという作業が必要であり、煩雑であった。
【０００４】
また、このように綴じること及びそれを開放させるという操作を繰り返すと、書類に開けた孔の周囲において書類が破損したり、または、抜き取った後の残余の書類の相対的な位置がずれてしまい、書類の周縁部が破損したりする虞れがある。
【０００５】
このような問題に対応するため、従来、ファイル文具によって綴じる複数枚の書類について、予め、複数のグループに分けておき、各グループ毎に書類を綴じてサブファイルとしたうえで、さらに、各サブファイル同士を綴じて一冊のメインファイルに纏めるようにしたファイル文具が提案されている。例えば、特許文献１には、書類の表裏面を外側からカバーシートで包み、このカバーシートの綴じ部分を外側からホルダで挟持して書類をカバーシートに保持させ、ホルダの背表紙に装着部が設けられたサブファイルと、このサブファイルの複数部数を内部に挿入し、挿入した各サブファイルの装着部が着脱自在に装着される被装着部を背表紙の内面に有するメインファイルとから構成されたファイル文具が記載されている。
【０００６】
このファイル文具においては、書類を包んだカバーシートにホルダを装着してサブファイルを作成し、このようにして作成した複数のサブファイルの各装着部をメインファイルの被装着部に装着させることにより、書類を綴じることができる。そして、綴じられた書類の中から必要な一部書類を取り外す場合には、メインファイルの被装着部からサブファイルの装着部を離間させることにより、所望のサブファイルのみを取り外すことができ、再度書類を綴じる場合には、メインファイルの被装着部にサブファイルの装着部を接触させることにより装着することができるようになっている。
【０００７】
【特許文献１】特開２００３−３４１２７０公報
【特許文献２】特開２０００−１８５４８４公報
【発明の開示】
【発明が解決しようとする課題】
【０００８】
ところで、前述した従来のファイル文具においては、メインファイルの被装着部及びサブファイルの装着部が特殊な専用形状を有しているため、このサブファイルを一般的に普及しているファイル文具によって綴じることはできない。一般的に普及しているファイル文具とは、例えば、中心間距離が８０ｍｍ、孔径が６ｍｍの一対の孔が形成された書類をそのまま綴じることができるいわゆる「２穴ファイル」や、複数の孔が等間隔で形成された書類をそのまま綴じることができるいわゆる「バインダーファイル」等である。
【０００９】
すなわち、前述のファイル文具においては、メインファイル及びサブファイルは、互いに専用品になってしまい、このサブファイルによって綴じた書類は専用のメインファイルを用いなければ綴じることができないし、また、このメインファイルは、専用のサブファイルを綴じること以外に用途がないので、汎用性がなく不便である。
【００１０】
そこで、本発明は、前述のような実情に鑑みてなされたものであり、綴じた書類の中からの必要な一部書類の抜き取りを容易とし、かつ、抜き取り及び再び綴じることの繰り返しによる書類の破損を防止するために、複数枚の書類について、予め、複数のグループに分け、各グループ毎に書類を綴じてサブファイルとしたうえで、さらに、各サブファイル同士を綴じて一冊のメインファイルに纏める場合において、メインファイルとして、いわゆる「２穴ファイル」や「バインダーファイル」等、汎用性のあるファイル文具を使用することができるサブファイルを構成することができるファイル文具を提供することを目的とする。
【課題を解決するための手段】
【００１１】
前述の課題を解決し、前記目的を達成するため、本発明に係るファイル文具は、以下のいずれか一の構成を有するものである。
【００１２】
〔構成１〕
基材部上に一対の可撓性を有する綴じ扞が突設され書類の一側部分に形成された一対の孔にこの書類の裏面側から一対の綴じ扞を挿通させる綴じ具と、書類と略々同一の大きさに形成され一側部分に綴じ具の基材部が取付けられ書類の裏面側に配置される台紙部材と、この台紙部材の一側側に連設され複数の孔が形成された切片部と、台紙部材と略々同一の大きさに形成され台紙部材の一側縁に一体的に連設されこの台紙部材側に折り返されることにより書類の表面側に配置される表紙部材とを備え、切片部は、表紙部材が台紙部材側に折り返されたときに、これら表紙部材及び台紙部材の一側方向に突出された状態となることを特徴とするものである。
【００１３】
なお、表紙部材の台紙部材に連結された側には、これら表紙部材及び台紙部材の連結部に平行な折り線部を設け、表紙部材及び台紙部材の連結部と折り線部との間を、表紙部材が台紙部材側に折り返されたときに背表紙部となるようにしてもよい。また、このように表紙部材及び台紙部材の連結部と折り線部との間を背表紙部とした場合には、切片部は、表紙部材の折り線部の近傍に設け、表紙部材が台紙部材側に折り返されたときに、この表紙部材の一側方向に突出されるようにしてもよい。
【００１４】
〔構成２〕
構成１を有するファイル文具において、切片部は、台紙部材側に折り返されることが可能となっていることを特徴とするものである。
【００１５】
〔構成３〕
基材部上に一対の可撓性を有する綴じ扞が突設され書類の一側部分に形成された一対の孔にこの書類の裏面側から一対の綴じ扞を挿通させる綴じ具と、書類に形成された一対の孔と同一の大きさ及び間隔の一対の孔を有しこの一対の孔に一対の綴じ扞を挿通されて、基材部と書類との間に配置される基板部と、一対の綴じ扞が一対の孔に挿通された書類の一側方向にこの書類の縁よりも食み出して基板部に一体的に連設され複数の孔が形成された切片部と、書類と略々同一の大きさに形成され、書類の裏面側に配置される台紙部材とを備え、台紙部材は、一側部に突片部を有し、この突片部を、基板部と切片部との間に形成されたスリットに裏面側から挿通させるとともに、この突片部が折り返されて基板部上に覆い被さることによって、この基板部及び綴じ具の基材部を保持することを特徴とするものである。
【００１６】
〔構成４〕
基材部上に一対の可撓性を有する綴じ扞が突設され書類の一側部分に形成された一対の孔にこの書類の裏面側から一対の綴じ扞を挿通させる綴じ具と、書類に形成された一対の孔と同一の大きさ及び間隔の一対の孔を有しこの一対の孔に一対の綴じ扞を挿通されて基材部と書類との間に配置される基板部と、一対の綴じ扞が一対の孔に挿通された書類の一側方向にこの書類の縁よりも食み出して基板部に一体的に連設され、複数の孔が形成された切片部と、書類と略々同一の大きさに形成され書類の裏面側に配置される台紙部材と、台紙部材の一側部に一体的に連設され書類と略々同一の大きさに形成され台紙部材側に折り返されることにより書類の表面側に配置される表紙部材とを備え、表紙部材の台紙部材に連結された側の一部分は、この表紙部材にコ字状の第１の切り込み部が形成されていることによって台紙部材の一側部に連設された突片部となされており、表紙部材及び台紙部材の連結部には、第１の切り込み部の両端部に連続する第２の切り込み部が形成されていることによって突片部を台紙部材側に折り返した状態において切片部が挿通され得るようになっており、切片部は、この切片部と基板部との間に形成されたスリットに裏面側から突片部を挿通され、この突片部が折り返されて基板部上に覆い被さることによって、綴じ具の基材部とともに保持されるとともに、第２の切り込み部に挿通されて、台紙部材の裏面側に突出されていることを特徴とするものである。
【００１７】
〔構成５〕
構成３、または、構成４を有するファイル文具において、切片部は、基板部側に折り返されることが可能となっていることを特徴とするものである。
【００１８】
〔構成６〕
構成３を有するファイル文具において、切片部には、書類と略々同一の大きさに形成され基板部側に折り返されることにより書類の表面側に配置される表紙部材が一体的に連設されており、表紙部材には、切片部に形成された複数の孔に対応する複数の長孔が形成されていることを特徴とするものである。
【００１９】
〔構成７〕
基材部上に一対の可撓性を有する綴じ扞が突設され書類の一側部分に形成された一対の孔にこの書類の裏面側から一対の綴じ扞を挿通させる綴じ具と、書類と略々同一の大きさに形成され一側部分に綴じ具の基材部が取付けられ書類の裏面側に配置されるとともに一対の綴じ扞が一対の孔に挿通された書類の一側方向にこの書類の縁よりも食み出す部分を有しこの部分に複数の孔が形成された台紙部材と、台紙部材と略々同一の大きさに形成され台紙部材の一側縁に一体的に連設されこの台紙部材側に折り返されることにより書類の表面側に配置される表紙部材とを備え、表紙部材は、台紙部材に形成された複数の孔に対応する複数の長孔が形成されていることを特徴とするものである。
【００２０】
〔構成８〕
書類の一側部分を挟持して保持する綴じ具と、書類と略々同一の大きさに形成され一側部分に綴じ具が取付けられ書類の裏面側に配置されるとともに綴じ具に保持された書類の一側方向にこの書類の縁よりも食み出す部分を有しこの部分に複数の孔が形成された台紙部材と、台紙部材と略々同一の大きさに形成され台紙部材の一側縁に一体的に連設されこの台紙部材側に折り返されることにより書類の表面側に配置される表紙部材とを備え、表紙部材は台紙部材に形成された複数の孔及び綴じ具に対応する領域の開口部が形成されていることを特徴とするものである。
【００２１】
〔構成９〕
構成１乃至構成８のいずれか一を有するファイル文具において、切片部、または、台紙部材に形成された複数の孔は、書類に形成された一対の孔と同一の大きさ及び間隔の一対の孔であることを特徴とするものである。
【００２２】
〔構成１０〕
構成１乃至構成９のいずれか一を有するファイル文具において、各一対の孔は、中心間距離が８０ｍｍであり、孔径が６ｍｍであることを特徴とするものである。
【発明の効果】
【００２３】
構成１を有する本発明に係るファイル文具においては、一対の可撓性を有する綴じ扞を有しを綴じる綴じ具と、書類と略々同一の大きさに形成され一側部分に綴じ具の基材部が取付けられた台紙部材と、この台紙部材の一側側に連設され複数の孔が形成された切片部と、台紙部材と略々同一の大きさに形成され台紙部材の一側縁に一体的に連設された表紙部材とを備えるので、このファイル文具により綴じられた書類をサブファイルとし、いわゆる「２穴ファイル」や「バインダーファイル」等、汎用性のあるファイル文具をメインファイルとして使用して、切片部において綴じることができる。
【００２４】
したがって、このファイル文具においては、複数枚の書類について、予め、複数のグループに分け、各グループ毎に書類を綴じてサブファイルとしたうえで、さらに、各サブファイル同士を綴じて一冊のメインファイルに纏めることが容易であり、また、綴じた書類の中からの必要な一部書類の抜き取りが容易であり、かつ、抜き取り及び再び綴じることの繰り返しによる書類の破損が防止される。
【００２５】
構成２を有する本発明に係るファイル文具においては、切片部は、基板部側に折り返されることが可能となっているので、このファイル文具によって綴じられた書類（サブファイル）のみを扱う場合に、切片部が邪魔になることがない。
【００２６】
構成３を有する本発明に係るファイル文具においては、一対の可撓性を有する綴じ扞を有し書類を綴じる綴じ具と、この綴じ具の基材部と書類との間に配置される基板部と、書類の縁よりも食み出して基板部に一体的に連設され複数の孔が形成された切片部と、書類の裏面側に配置される台紙部材とを備えるので、このファイル文具により綴じられた書類をサブファイルとし、いわゆる「２穴ファイル」や「バインダーファイル」等、汎用性のあるファイル文具をメインファイルとして使用して、切片部において綴じることができる。
【００２７】
したがって、このファイル文具においては、複数枚の書類について、予め、複数のグループに分け、各グループ毎に書類を綴じてサブファイルとしたうえで、さらに、各サブファイル同士を綴じて一冊のメインファイルに纏めることが容易であり、また、綴じた書類の中からの必要な一部書類の抜き取りが容易であり、かつ、抜き取り及び再び綴じることの繰り返しによる書類の破損が防止される。
【００２８】
そして、このファイル文具においては、台紙部材が、基板部と切片部との間に形成されたスリットに裏面側から突片部を挿通させ、この突片部が折り返されて基板部上に覆い被さることによって、この基板部及び綴じ具の基材部を保持するので、接着や溶着による接合箇所がなく、容易に構成することができる。
【００２９】
構成４を有する本発明に係るファイル文具においては、一対の可撓性を有する綴じ扞を有し書類を綴じる綴じ具と、この綴じ具の基材部と書類との間に配置される基板部と、書類の縁よりも食み出して基板部に一体的に連設され複数の孔が形成された切片部と、書類の裏面側に配置される台紙部材と、この台紙部材の一側部に一体的に連設された表紙部材とを備えるので、このファイル文具により綴じられた書類をサブファイルとし、いわゆる「２穴ファイル」や「バインダーファイル」等、汎用性のあるファイル文具をメインファイルとして使用して、切片部において綴じることができる。
【００３０】
したがって、このファイル文具においては、複数枚の書類について、予め、複数のグループに分け、各グループ毎に書類を綴じてサブファイルとしたうえで、さらに、各サブファイル同士を綴じて一冊のメインファイルに纏めることが容易であり、また、綴じた書類の中からの必要な一部書類の抜き取りが容易であり、かつ、抜き取り及び再び綴じることの繰り返しによる書類の破損が防止される。
【００３１】
そして、このファイル文具においては、切片部は、台紙部材の一側部に連設された突片部を、この切片部と基板部との間に形成されたスリットに裏面側から挿通され、この突片部が折り返されて基板部上に覆い被さることによって綴じ具の基材部とともに保持されるとともに、第２の切り込み部に挿通されて台紙部材の裏面側に突出されているので、接着や溶着による接合箇所がなく、容易に構成することができる。
【００３２】
構成５を有する本発明に係るファイル文具においては、切片部は、基板部側に折り返されることが可能となっているので、このファイル文具によって綴じられた書類（サブファイル）のみを扱う場合に、切片部が邪魔になることがない。
【００３３】
構成６を有する本発明に係るファイル文具においては、切片部には、書類と略々同一の大きさに形成され基板部側に折り返されることにより書類の表面側に配置される表紙部材が一体的に連設されているので、書類の表面側を保護することができ、また、この表紙部材には、切片部に形成された複数の孔に対応する複数の長孔が形成されているので、切片部及び表紙部材において「２穴ファイル」や「バインダーファイル」等のファイル文具によって綴じることができる。
【００３４】
構成７を有する本発明に係るファイル文具においては、一対の可撓性を有する綴じ扞を有し書類を綴じる綴じ具と、一側部分に綴じ具が取付けられ書類の縁よりも食み出す部分を有しこの部分に複数の孔を有する台紙部材と、この台紙部材に一体的に連設されこの台紙部材側に折り返される表紙部材とを備え、表紙部材には台紙部材の複数の孔に対応する複数の長孔が設けられているので、このファイル文具により綴じられた書類をサブファイルとし、いわゆる「２穴ファイル」や「バインダーファイル」等、汎用性のあるファイル文具をメインファイルとして使用して、台紙部材及び表紙部材において綴じることができる。
【００３５】
したがって、このファイル文具においては、複数枚の書類について、予め、複数のグループに分け、各グループ毎に書類を綴じてサブファイルとしたうえで、さらに、各サブファイル同士を綴じて一冊のメインファイルに纏めることが容易であり、また、綴じた書類の中からの必要な一部書類の抜き取りが容易であり、かつ、抜き取り及び再び綴じることの繰り返しによる書類の破損が防止される。
【００３６】
構成８を有する本発明に係るファイル文具においては、書類の一側部分を挟持して保持する綴じ具と、一側部分に綴じ具が取付けられ書類の縁よりも食み出す部分を有しこの部分に複数の孔を有する台紙部材と、この台紙部材に一体的に連設されこの台紙部材側に折り返される表紙部材とを備え、表紙部材には台紙部材に形成された複数の孔及び綴じ具に対応する領域の開口部が形成されているので、このファイル文具により綴じられた書類をサブファイルとし、いわゆる「２穴ファイル」や「バインダーファイル」等、汎用性のあるファイル文具をメインファイルとして使用して、台紙部材において綴じることができる。
【００３７】
したがって、このファイル文具においては、複数枚の書類について、予め、複数のグループに分け、各グループ毎に書類を綴じてサブファイルとしたうえで、さらに、各サブファイル同士を綴じて一冊のメインファイルに纏めることが容易であり、また、綴じた書類の中からの必要な一部書類の抜き取りが容易であり、かつ、抜き取り及び再び綴じることの繰り返しによる書類の破損が防止される。
【００３８】
構成９を有する本発明に係るファイル文具においては、切片部、または、台紙部材に形成された複数の孔は、書類に形成された一対の孔と同一の大きさ及び間隔の一対の孔であるので、いわゆる「２穴ファイル」をメインファイルとして使用して綴じることができる。
【００３９】
構成１０を有する本発明に係るファイル文具においては、各一対の孔は、中心間距離が８０ｍｍであり、孔径が６ｍｍであるので、最も普及している規格の「２穴ファイル」をメインファイルとして使用して綴じることができる。
【００４０】
すなわち、本発明は、綴じた書類の中からの必要な一部書類の抜き取りを容易とし、かつ、抜き取り及び再び綴じることの繰り返しによる書類の破損を防止するために、複数枚の書類について、予め、複数のグループに分け、各グループ毎に書類を綴じてサブファイルとしたうえで、さらに、各サブファイル同士を綴じて一冊のメインファイルに纏める場合において、メインファイルとして、いわゆる「２穴ファイル」や「バインダーファイル」等、汎用性のあるファイル文具を使用することができるサブファイルを構成することができるファイル文具を提供することができるものである。
【発明を実施するための最良の形態】
【００４１】
以下、本発明に係るファイル文具の最良の実施の形態について、図面を参照して説明する。
【００４２】
〔第１の実施の形態〕
図１は、本発明に係るファイル文具の第１の実施の形態における構成を示す分解斜視図である。
【００４３】
この実施の形態において、本発明に係るファイル文具は、図１に示すように、基材部１上に一対の可撓性を有する綴じ扞２，３が突設された綴じ具４を有している。この綴じ具４は、複数枚数の書類１０１の一側部分に形成された一対の孔１０２，１０３に、この書類１０１の裏面側から一対の綴じ扞２，３を先端部より挿通させて、この書類１０１を綴じることができるようになっている。
【００４４】
綴じ扞２，３は、例えば、金属の如き可撓性を有する材料により形成されており、弾性力は弱くなされていることが好ましい。すなわち、綴じ扞２，３は、書類１０１に形成された一対の孔１０２，１０３に挿通された後、図１中矢印Ａで示すように、この書類１０１の表面に沿うように屈曲され、屈曲された状態を維持することによって、書類１０１を綴じることができる。
【００４５】
これら綴じ扞２，３は、基材部１に対して一体的に形成されているものとしてもよいし、基材部１に対して基端部を接合されているものとしてもよい。綴じ扞２，３と基材部１とを一体的に形成する場合には、幅の狭い金属板、または、金属棒を２箇所において略々直角に屈曲させてコ字状とすることによって、綴じ具４を形成することができる。
【００４６】
そして、このファイル文具は、書類１０１と略々同一の大きさに形成され一側部分に綴じ具４の基材部１が取付けられた台紙部材１０を有している。この台紙部材１０は、書類１０１の裏面側に配置される。この台紙部材１０は、紙やプラスチックによって形成することができる。
【００４７】
台紙部材１０の一側縁には、台紙部材１０と略々同一の大きさに形成された表紙部材１７が一体的に連設されている。この表紙部材１７は、台紙部材１０側に折り返されることにより、書類１０１の表面側に配置される。
【００４８】
また、台紙部材１０の一側側には、切片部８が一体的に連設されている。この切片部８も、基板部５と同様に、紙やプラスチックによって形成することができる。この切片部８には、複数の孔９が形成されている。この複数の孔９は、書類１０１に形成された一対の孔１０２，１０３と同一の大きさ及び間隔の一対の孔とすることができる。この切片部８は、表紙部材１７が台紙部材１０側に折り返されたときに、これら表紙部材１０及び台紙部材１７の一側方向に突出された状態となる。
【００４９】
なお、表紙部材１７の台紙部材１０に連結された側には、これら表紙部材１７及び台紙部材１０の連結部に平行な折り線部２１を設け、表紙部材１７及び台紙部材１０の連結部と折り線部２１との間を、表紙部材１７が台紙部材１０側に折り返されたときに背表紙部となるようにしてもよい。
【００５０】
また、このように表紙部材１７及び台紙部材１０の連結部と折り線部２１との間を背表紙部とした場合には、切片部８は、表紙部材１７の折り線部２１の近傍に取付け、表紙部材１７が台紙部材１０側に折り返されたときに、この表紙部材１７の一側方向に突出されるようにしてもよい。
【００５１】
図２は、本発明の第１の実施の形態におけるファイル文具をサブファイルとして、メインファイルにより綴じる状態を示す斜視図である。
【００５２】
このファイル文具は、図２に示すように、いわゆる「２穴ファイル」をメインファイル１０４として使用して、切片部８を介して、複数の書類１０１を綴じることができる。すなわち、一つの綴じ具４によって綴じられ台紙部材１０及び表紙部材１７間に保持された書類１０１がサブファイルとなり、このサブファイルを複数重ねた状態で、メインファイル１０４によって綴じることができる。
【００５３】
複数の孔９を一対の孔とする場合には、中心間距離を８０ｍｍ、孔径を６ｍｍとすることが好ましい。この場合には、最も普及している規格の「２穴ファイル」をメインファイルとして使用して綴じることができる。
【００５４】
また、複数の孔９は、所定の個数の孔が等間隔に形成されたものとしてもよい。この場合には、いわゆる「バインダーファイル」をメインファイルとして使用して、複数のサブファイルを綴じることができる。
【００５５】
切片部８は、台紙部材１０側に折り返されることが可能となっている。したがって、このファイル文具によって綴じられた書類１０１（サブファイル）のみを単体で扱う場合に、切片部８が邪魔になることを防止することができる。
【００５６】
前述のように、このファイル文具においては、このファイル文具により綴じられた書類１０１をサブファイルとし、いわゆる「２穴ファイル」や「バインダーファイル」等、汎用性のあるファイル文具をメインファイル１０４として使用して、切片部８において綴じることができる。
【００５７】
したがって、このファイル文具においては、複数枚の書類について、予め、複数のグループに分け、各グループ毎に書類１０１を綴じてサブファイルとしたうえで、さらに、各サブファイル同士を綴じて一冊のメインファイルに纏めることが容易であり、また、綴じた書類の中からの必要な一部書類１０１の抜き取りが容易であり、かつ、抜き取り及び再び綴じることの繰り返しによる書類の破損を防止することができる。
【００５８】
なお、この実施の形態において、切片部８としては、紙やプラスチックによって形成したもののみならず、紐状部材によって構成したものとしてもよい。すなわち、前述のような切片部８に代えて、中途部において複数の円環部を形成している１本の紐状部材を用いて、この紐状部材の両端側を、台紙部材１０の一側側、または、背表紙部に取付けることにより、前述した切片部８と同様の機能を得ることができる。紐状部材が形成する円環部は、前述の複数の孔９に対応するものであり、例えば、紐状部材の一部がループ状に巻回されてループ端同士が固着されることによって形成されている。
【００５９】
この場合には、紐状部材が形成する円環部を、書類１０１に形成された一対の孔１０２，１０３と同一の間隔の一対の円環部とし、さらに、円環部の中心間距離を８０ｍｍ、円環部の内径を６ｍｍとすることが好ましい。
【００６０】
また、紐状部材の両端側の台紙部材１０、または、背表紙部への取付けは、接着や溶着などにより固着させるようにしてもよいし、台紙部材１０、または、背表紙部に一対の取付孔を設けて、これら取付孔に紐状部材の両端側を通して、この両端側同士を結び合わせるようにしてもよい。
【００６１】
〔第２の実施の形態〕
図３は、本発明に係るファイル文具の第２の実施の形態における構成を示す分解斜視図である。
【００６２】
この実施の形態において、本発明に係るファイル文具は、図３に示すように、基材部１上に一対の可撓性を有する綴じ扞２，３が突設された綴じ具４を有している。この綴じ具４は、前述の第１の実施の形態におけるものと同様であり、書類１０１を綴じるようになっている。
【００６３】
そして、このファイル文具は、基板部５を有している。この基板部５は、平板状に形成され、書類１０１に形成された一対の孔１０２，１０３と同一の大きさ及び間隔の一対の孔６，７を有している。この基板部５は、一対の孔６，７に一対の綴じ扞２，３を挿通されて、基材部１と書類１０１との間に配置される。この基板部５は、紙やプラスチックによって形成することができる。
【００６４】
基板部５には、切片部８が一体的に連設されている。この切片部８は、一対の綴じ扞２，３が一対の孔１０２，１０３に挿通された書類１０１の一側方向に、この書類１０１の縁よりも食み出すように形成されている。この切片部８も、基板部５と同様に、紙やプラスチックによって形成することができる。
【００６５】
そして、このファイル文具は、台紙部材１０を有している。この台紙部材１０は、書類１０１と略々同一の大きさに形成され、書類１０１の裏面側に配置される。この台紙部材１０は、紙やプラスチックによって形成することができる。この台紙部材１０は、一側部に突片部１１を有しており、この突片部１１を、基板部５と切片部８との間に形成されたスリット１２に裏面側から挿通させる。
【００６６】
図４は、本発明に係るファイル文具の第２の実施の形態における要部の構成を示す斜視図である。
【００６７】
そして、この台紙部材１０は、図３中矢印Ｂで示すように、突片部１１が折り返され、図４に示すように、この突片部１１を基板部５上に覆い被せることによって、この基板部５及び綴じ具４の基材部１を保持するようになっている。
【００６８】
したがって、このファイル文具は、接着や溶着による接合箇所を設けることなく構成することができ、容易に構成することができる。
【００６９】
また、突片部１１の先端縁には、さらに突起部１３を設けて、この突起部１３を台紙部材１０に設けたスリット１４に挿入するようにしてもよい。この場合には、台紙部材１０及び突片部１１による基板部５及び綴じ具４に対する保持が確実となる。なお、台紙部材１０と突片部１１とは、必要があれば、互いに接着するようにしてもよい。
【００７０】
なお、図３に示すように、書類１０１の表面上には、この書類１０１と略々同一の大きさに形成され、書類１０１に形成された一対の孔１０２，１０３と同一の大きさ及び間隔の一対の孔１５，１６を有する表紙部材１７を配置してもよい。この表紙部材１７は、書類１０１とともに、綴じ具４によって綴じられる。この表紙部材１７は、紙やプラスチックによって形成することができる。
【００７１】
そして、切片部８の書類１０１の縁よりも食み出す部分には、複数の孔９が形成されている。この複数の孔９は、書類１０１に形成された一対の孔１０２，１０３と同一の大きさ及び間隔の一対の孔とすることができる。
【００７２】
図５は、本発明の第２の実施の形態におけるに係るファイル文具をサブファイルとして、メインファイルにより綴じる状態を示す斜視図である。
【００７３】
この場合には、図５に示すように、いわゆる「２穴ファイル」をメインファイル１０４として使用して、この切片部８を介して、複数の書類１０１を綴じることができる。すなわち、一つの綴じ具４によって綴じられた書類１０１がサブファイルとなり、このサブファイルを複数重ねた状態で、メインファイル１０４によって綴じることができる。
【００７４】
複数の孔９を一対の孔とする場合には、中心間距離を８０ｍｍ、孔径を６ｍｍとすることが好ましい。この場合には、最も普及している規格の「２穴ファイル」をメインファイルとして使用して綴じることができる。
【００７５】
また、複数の孔９は、所定の個数の孔が等間隔に形成されたものとしてもよい。この場合には、いわゆる「バインダーファイル」をメインファイルとして使用して、複数のサブファイルを綴じることができる。
【００７６】
切片部８は、図４中矢印Ｃで示すように、基板部５側に折り返されることが可能となっている。したがって、このファイル文具によって綴じられた書類１０１（サブファイル）のみを単体で扱う場合に、切片部８が邪魔になることを防止することができる。
【００７７】
前述のように、このファイル文具においては、このファイル文具により綴じられた書類１０１をサブファイルとし、いわゆる「２穴ファイル」や「バインダーファイル」等、汎用性のあるファイル文具をメインファイル１０４として使用して、切片部８において綴じることができる。
【００７８】
したがって、このファイル文具においては、複数枚の書類について、予め、複数のグループに分け、各グループ毎に書類１０１を綴じてサブファイルとしたうえで、さらに、各サブファイル同士を綴じて一冊のメインファイルに纏めることが容易であり、また、綴じた書類の中からの必要な一部書類１０１の抜き取りが容易であり、かつ、抜き取り及び再び綴じることの繰り返しによる書類の破損を防止することができる。
【００７９】
〔第３の実施の形態〕
図６は、本発明に係るファイル文具の第３の実施の形態における構成を示す分解斜視図である。
【００８０】
この実施の形態において、本発明に係るファイル文具は、図６に示すように、基材部１上に一対の可撓性を有する綴じ扞２，３が突設された綴じ具４を有している。この綴じ具４は、前述の第２の実施の形態におけるものと同様であり、書類１０１を綴じるようになっている。
【００８１】
そして、このファイル文具は、前述の第２の実施の形態と同様に、基板部５を有している。この基板部５は、平板状に形成され、書類１０１に形成された一対の孔１０２，１０３と同一の大きさ及び間隔の一対の孔６，７を有している。この基板部５は、一対の孔６，７に一対の綴じ扞２，３を挿通されて、基材部１と書類１０１との間に配置される。この基板部５は、紙やプラスチックによって形成することができる。
【００８２】
基板部５には、切片部８が一体的に連設されている。この切片部８は、一対の綴じ扞２，３が一対の孔１０２，１０３に挿通された書類１０１の一側方向に、この書類１０１の縁よりも食み出すように形成されている。この切片部８も、基板部５と同様に、紙やプラスチックによって形成することができる。
【００８３】
そして、このファイル文具は、台紙部材１０を有している。この台紙部材１０は、書類１０１と略々同一の大きさに形成され、書類１０１の裏面側に配置される。この台紙部材１０は、紙やプラスチックによって形成することができる。
【００８４】
台紙部材１０の一側縁には、台紙部材１０と略々同一の大きさに形成された表紙部材１７が一体的に連設されている。この表紙部材１７は、台紙部材１０側に折り返されることにより、書類１０１の表面側に配置される。なお、表紙部材１７の台紙部材１０に連結された側には、これら表紙部材１７及び台紙部材１０の連結部に平行な折り線部２１を設け、表紙部材１７及び台紙部材１０の連結部と折り線部２１との間を、表紙部材１７が台紙部材１０側に折り返されたときに背表紙部となるようにしてもよい。
【００８５】
表紙部材１７の台紙部材１０に連結された側の一部分は、この表紙部材１７にコ字状の第１の切り込み部１９が形成されていることによって、台紙部材１０の一側部に連設された突片部１１となされている。この突片部１１は、基板部５と切片部８との間に形成されたスリット１２に裏面側から挿通される。
【００８６】
図７は、本発明に係るファイル文具の第３の実施の形態における要部の構成を示す斜視図である。
【００８７】
そして、台紙部材１０は、図６中矢印Ｂで示すように、突片部１１が折り返され、図７に示すように、この突片部１１を基板部５上に覆い被せることによって、この基板部５及び綴じ具４の基材部１を保持するようになっている。
【００８８】
また、表紙部材１７及び台紙部材１０の連結部には、第１の切り込み部１９の両端部に連続する第２の切り込み部２０，２０が形成されている。これら第２の切り込み部２０，２０には、突片部１１を台紙部材１０側に折り返した状態において、切片部８が挿通され得るようになっている。  
すなわち、切片部は８、この切片部８と基板部５との間に形成されたスリット１２に裏面側から突片部１１を挿通され、この突片部１１が折り返されて基板部１０上に覆い被さることによって、綴じ具４の基材部１とともに保持されるとともに、第２の切り込み部２０，２０に挿通されて、台紙部材１０の裏面側に突出されている。
【００８９】
したがって、このファイル文具は、接着や溶着による接合箇所を設けることなく構成することができ、容易に構成することができる。
【００９０】
また、突片部１１の先端縁には、さらに突起部１３を設けて、この突起部１３を台紙部材１０に設けたスリット１４に挿入するようにしてもよい。この場合には、台紙部材１０及び突片部１１による基板部５及び綴じ具４に対する保持が確実となる。なお、台紙部材１０と突片部１１とは、必要があれば、互いに接着するようにしてもよい。
【００９１】
そして、切片部８の書類１０１の縁よりも食み出す部分には、複数の孔９が形成されている。この複数の孔９は、書類１０１に形成された一対の孔１０２，１０３と同一の大きさ及び間隔の一対の孔とすることができる。
【００９２】
この場合には、いわゆる「２穴ファイル」をメインファイルとして使用して、この切片部８を介して、複数の書類１０１を綴じることができる。すなわち、一つの綴じ具４によって綴じられ台紙部材１０及び表紙部材１７間に保持された書類１０１がサブファイルとなり、このサブファイルを複数重ねた状態で、メインファイルによって綴じることができる。
【００９３】
複数の孔９を一対の孔とする場合には、中心間距離を８０ｍｍ、孔径を６ｍｍとすることが好ましい。この場合には、最も普及している規格の「２穴ファイル」をメインファイルとして使用して綴じることができる。
【００９４】
また、複数の孔９は、所定の個数の孔が等間隔に形成されたものとしてもよい。この場合には、いわゆる「バインダーファイル」をメインファイルとして使用して、複数のサブファイルを綴じることができる。
【００９５】
切片部８は、図７中矢印Ｃで示すように、基板部５側に折り返されることが可能となっている。したがって、このファイル文具によって綴じられた書類１０１（サブファイル）のみを単体で扱う場合に、切片部８が邪魔になることを防止することができる。
【００９６】
前述のように、このファイル文具においては、このファイル文具により綴じられた書類１０１をサブファイルとし、いわゆる「２穴ファイル」や「バインダーファイル」等、汎用性のあるファイル文具をメインファイル１０４として使用して、切片部８において綴じることができる。
【００９７】
したがって、このファイル文具においては、複数枚の書類について、予め、複数のグループに分け、各グループ毎に書類１０１を綴じてサブファイルとしたうえで、さらに、各サブファイル同士を綴じて一冊のメインファイルに纏めることが容易であり、また、綴じた書類の中からの必要な一部書類１０１の抜き取りが容易であり、かつ、抜き取り及び再び綴じることの繰り返しによる書類の破損を防止することができる。
【００９８】
〔第４の実施の形態〕
図８は、本発明に係るファイル文具の第４の実施の形態における構成を示す分解斜視図である。
【００９９】
本発明に係るファイル文具は、前述の第１の実施の形態におけるファイル文具において、図８に示すように、切片部８に、書類１０１と略々同一の大きさに形成され基板部５側に折り返されることにより書類１０１の表面側に配置される表紙部材１７を一体的に連設してもよい。この実施の形態においては、表紙部材１７が切片部８に一体的に連設されていることの他は、前述の第１の実施の形態における構成と同様である。
【０１００】
このファイル文具においては、表紙部材１７により、書類１０１の表面側を保護することができる。
【０１０１】
そして、表紙部材１７には、切片部８に形成された複数の孔９に対応する複数の長孔１８が形成されている。
【０１０２】
なお、表紙部材１７の台紙部材１０に連結された側には、これら表紙部材１７及び台紙部材１０の連結部に平行な折り線部２１を設け、表紙部材１７及び台紙部材１０の連結部と折り線部２１との間を、表紙部材１７が台紙部材１０側に折り返されたときに背表紙部となるようにしてもよい。
【０１０３】
図９は、本発明に係るファイル文具の第４の実施の形態における要部の構成を示す断面図である。
【０１０４】
この表紙部材１７は、切片部８の複数の孔９に対応する複数の長孔１８が形成されているので、図９に示すように、切片部８とともに、「２穴ファイル」や「バインダーファイル」等のファイル文具をメインファイル１０４として綴じることができる。表紙部材１７に複数の長孔１８が形成されていることにより、書類１０１の枚数（総厚）が変化しても、この表紙部材１７を書類１０１の表面部に密着させた状態で、「２穴ファイル」や「バインダーファイル」等のファイル文具によって綴じることができる。
【０１０５】
そして、表紙部材１７に形成された複数の長孔１８は、書類１０１に形成された一対の孔１０２，１０３の径と同一の幅で、一対の孔１０２，１０３と同一の間隔の一対の長孔とすることができる。この場合に、一対の長孔間の中心間距離を８０ｍｍとし、幅を６ｍｍとすることが好ましい。この場合には、いわゆる「２穴ファイル」をメインファイルとして使用して綴じることができる。各一対の孔を、中心間距離８０ｍｍ、孔径６ｍｍとし、一対の長孔間の中心間距離を８０ｍｍ、幅を６ｍｍとした場合には、最も普及している規格の「２穴ファイル」をメインファイルとして使用して綴じることができる。
【０１０６】
この実施の形態においても、複数枚の書類について、予め、複数のグループに分け、各グループ毎に書類１０１を綴じてサブファイルとしたうえで、さらに、各サブファイル同士を綴じて一冊のメインファイルに纏めることが容易であり、また、綴じた書類の中からの必要な一部書類１０１の抜き取りが容易であり、かつ、抜き取り及び再び綴じることの繰り返しによる書類の破損が防止される。
【０１０７】
〔第５の実施の形態〕
図１０は、本発明に係るファイル文具の第５の実施の形態における構成を示す分解斜視図である。
【０１０８】
この実施の形態において、本発明に係るファイル文具は、図１０に示すように、基材部１上に一対の可撓性を有する綴じ扞２，３が突設された綴じ具４を有している。この綴じ具４は、前述の第１の実施の形態におけるものと同様であり、書類１０１を綴じるようになっている。
【０１０９】
そして、このファイル文具は、書類１０１と略々同一の大きさに形成され一側部分に綴じ具４の基材部１が取付けられた台紙部材１０を有している。この台紙部材１０は、紙やプラスチックによって形成することができる。
【０１１０】
この台紙部材１０は、書類１０１の裏面側に配置されるとともに、一対の綴じ扞２，３が一対の孔１０２，１０３に挿通された書類１０１の一側方向にこの書類１０１の縁よりも食み出す部分を有している。そして、この台紙部材１０は、書類１０１の縁より食み出す部分に、複数の孔９が形成されている。
【０１１１】
また、台紙部材１０には、この台紙部材１０の一側縁に、この台紙部材１０と略々同一の大きさに形成された表紙部材１７が一体的に連設されている。この表紙部材１７は、台紙部材１０側に折り返されることにより、書類１０１の表面側に配置される。このファイル文具においては、表紙部材１７により、書類１０１の表面側を保護することができる。この表紙部材１７は、台紙部材１０と同様に、紙やプラスチックによって形成することができる。
【０１１２】
そして、表紙部材１７には、台紙部材１０に形成された複数の孔９に対応する複数の長孔１８が形成されている。
【０１１３】
なお、表紙部材１７の台紙部材１０に連結された側には、これら表紙部材１７及び台紙部材１０の連結部に平行な折り線部２１を設け、表紙部材１７及び台紙部材１０の連結部と折り線部２１との間を、表紙部材１７が台紙部材１０側に折り返されたときに背表紙部となるようにしてもよい。
【０１１４】
このファイル文具においては、綴じた書類をサブファイルとし、いわゆる「２穴ファイル」や「バインダーファイル」等、汎用性のあるファイル文具をメインファイルとして使用して、台紙部材１０及び表紙部材１７において綴じることができる。表紙部材１７に複数の長孔１８が形成されていることにより、書類１０１の枚数（総厚）が変化しても、この表紙部材１７を書類１０１の表面部に密着させた状態で、「２穴ファイル」や「バインダーファイル」等のファイル文具によって綴じることができる。
【０１１５】
そして、表紙部材１７に形成された複数の長孔１８は、書類１０１に形成された一対の孔１０２，１０３の径と同一の幅で、一対の孔１０２，１０３と同一の間隔の一対の長孔とすることができる。この場合に、一対の長孔間の中心間距離を８０ｍｍとし、幅を６ｍｍとすることが好ましい。この場合には、いわゆる「２穴ファイル」をメインファイルとして使用して綴じることができる。各一対の孔を、中心間距離８０ｍｍ、孔径６ｍｍとし、一対の長孔間の中心間距離を８０ｍｍ、幅を６ｍｍとした場合には、最も普及している規格の「２穴ファイル」をメインファイルとして使用して綴じることができる。
【０１１６】
この実施の形態においても、複数枚の書類について、予め、複数のグループに分け、各グループ毎に書類１０１を綴じてサブファイルとしたうえで、さらに、各サブファイル同士を綴じて一冊のメインファイルに纏めることが容易であり、また、綴じた書類の中からの必要な一部書類１０１の抜き取りが容易であり、かつ、抜き取り及び再び綴じることの繰り返しによる書類の破損が防止される。
【０１１７】
〔第６の実施の形態〕
図１１は、本発明に係るファイル文具の第６の実施の形態における構成を示す斜視図である。
【０１１８】
この実施の形態において、本発明に係るファイル文具は、図１１に示すように、書類１０１の一側部分を挟持して保持する綴じ具２２を有している。
【０１１９】
そして、このファイル文具は、書類１０１と略々同一の大きさに形成され一側部分に綴じ具２２が取付けられた台紙部材１０を有している。この台紙部材１０は、紙やプラスチックによって形成することができる。綴じ具２２は、台紙部材１０に対して、支軸２３を介して回動可能に支持されており、書類１０１の一側部分を保持する位置と、書類１０１の一側部分より離間する位置とに亘って、回動可能となっている。
【０１２０】
この台紙部材１０は、書類１０１の裏面側に配置されるとともに、綴じ具２２によって保持された図１１中一点鎖線で示す書類１０１の一側方向にこの書類１０１の縁よりも食み出す部分を有している。そして、この台紙部材１０は、書類１０１の縁より食み出す部分に、複数の孔９が形成されている。
【０１２１】
また、台紙部材１０には、この台紙部材１０の一側縁に、この台紙部材１０と略々同一の大きさに形成された表紙部材１７が一体的に連設されている。この表紙部材１７は、台紙部材１０側に折り返されることにより、書類１０１の表面側に配置される。このファイル文具においては、表紙部材１７により、書類１０１の表面側を保護することができる。この表紙部材１７は、台紙部材１０と同様に、紙やプラスチックによって形成することができる。
【０１２２】
そして、表紙部材１７には、台紙部材１０に形成された複数の孔９及び綴じ具２２に対応する領域の開口部２４が形成されている。
【０１２３】
なお、表紙部材１７の台紙部材１０に連結された側には、これら表紙部材１７及び台紙部材１０の連結部に平行な折り線部２１を設け、表紙部材１７及び台紙部材１０の連結部と折り線部２１との間を、表紙部材１７が台紙部材１０側に折り返されたときに背表紙部となるようにしてもよい。
【０１２４】
このファイル文具においては、綴じた書類をサブファイルとし、いわゆる「２穴ファイル」や「バインダーファイル」等、汎用性のあるファイル文具をメインファイルとして使用して、複数の孔９を用いて台紙部材１０において綴じることができる。
【０１２５】
複数の孔９を一対の孔とする場合には、中心間距離を８０ｍｍとし、幅を６ｍｍとすることが好ましい。この場合には、最も普及している規格の「２穴ファイル」をメインファイルとして使用して綴じることができる。
【０１２６】
この実施の形態においても、複数枚の書類について、予め、複数のグループに分け、各グループ毎に書類１０１を綴じてサブファイルとしたうえで、さらに、各サブファイル同士を綴じて一冊のメインファイルに纏めることが容易であり、また、綴じた書類の中からの必要な一部書類１０１の抜き取りが容易であり、かつ、抜き取り及び再び綴じることの繰り返しによる書類の破損が防止される。
【０１２７】
前述のように、本発明に係るファイル文具は、綴じた書類の中からの必要な一部書類の抜き取りを容易とし、かつ、抜き取り及び再び綴じることの繰り返しによる書類の破損を防止するために、複数枚の書類について、予め、複数のグループに分け、各グループ毎に書類を綴じてサブファイルとしたうえで、さらに、各サブファイル同士を綴じて一冊のメインファイルに纏める場合において、メインファイルとして、いわゆる「２穴ファイル」や「バインダーファイル」等、汎用性のあるファイル文具を使用することができる。
【図面の簡単な説明】
【０１２８】
【図１】本発明に係るファイル文具の第１の実施の形態における構成を示す分解斜視図である。
【図２】本発明の第１の実施の形態におけるファイル文具をサブファイルとして、メインファイルにより綴じる状態を示す斜視図である。
【図３】本発明に係るファイル文具の第２の実施の形態における構成を示す分解斜視図である。
【図４】本発明に係るファイル文具の第２の実施の形態における要部の構成を示す斜視図である。
【図５】本発明の第２の実施の形態におけるに係るファイル文具をサブファイルとして、メインファイルにより綴じる状態を示す斜視図である。
【図６】本発明に係るファイル文具の第３の実施の形態における構成を示す分解斜視図である。
【図７】本発明に係るファイル文具の第３の実施の形態における要部の構成を示す斜視図である。
【図８】本発明に係るファイル文具の第４の実施の形態における構成を示す分解斜視図である。
【図９】本発明に係るファイル文具の第４の実施の形態における要部の構成を示す断面図である。
【図１０】本発明に係るファイル文具の第５の実施の形態における構成を示す斜視図である。
【図１１】本発明に係るファイル文具の第６の実施の形態における構成を示す斜視図である。
【符号の説明】
【０１２９】
１              基材部
２，３          綴じ扞
４              綴じ具書類
５              基板部
６，７          一対の孔
８              切片部
９              複数の孔
１０            台紙部材
１１            突片部
１２            スリット
１７            表紙部材
１８            複数の長孔
１９            第１の切り込み部
２０            第２の切り込み部
１０１          書類
１０２，１０３  一対の孔
１０４          メインファイル
【図１】
2007313805.tif 000003
【図２】
2007313805.tif 000004
【図３】
2007313805.tif 000005
【図４】
2007313805.tif 000006
【図５】
2007313805.tif 000007
【図６】
2007313805.tif 000008
【図７】
2007313805.tif 000009
【図８】
2007313805.tif 000010
【図９】
2007313805.tif 000011
【図１０】
2007313805.tif 000012
【図１１】
2007313805.tif 000013